(57)【要約】【課題】多量の紙幣等を収納してマネーケースやコインケースが浮き上りを生じた場合においても、キャッシュボックスをスムーズに引き出すことができる。【解決手段】キャビネット２の開口部２ａの内部において、キャビネット２の天井面１４に向かって傾斜させたガイド１３を形成した。キャッシュボックス３が引き出される際にコインケース８若しくはマネーケース７に浮き上がりが生じている場合であっても、ガイド１３が当接してコインケース８若しくはマネーケース７の位置を下方に抑制するので、スムーズにキャッシュボックス３を引き出すことが可能になる。【選択図】　　図２
2004110279.tif 000002
【特許請求の範囲】
【請求項１】
前面に開口部を有するキャビネットと、
前記開口部から前記キャビネットに引出自在に収納され、紙幣を収納するマネーケース及び硬貨を収納するコインケースを上面開口部より着脱自在に収容するキャッシュボックスと、
前記開口部の上側端面から前記キャビネットの内部天井面に向けて傾斜し、前記キャッシュボックスを引き出す動作に伴い、浮き上がった前記マネーケース又は前記コインケースの前端上部を干渉させてそれらの前記マネーケース又は前記コインケースを下方に抑制するガイドと、
を具備するドロワ。
【請求項２】
前記ガイドは前記開口部の幅内で部分的に配設されている請求項１記載のドロワ。
【発明の詳細な説明】
【０００１】
【発明の属する技術分野】
本発明は、ＰＯＳ（Ｐｏｉｎｔ　Ｏｆ　Ｓａｌｅｓ）端末等の商品販売データ処理装置等に備えられ、商品販売データ処理装置等の売上処理に際して出し入れされる貨幣の収納管理を行うドロワに関する。
【０００２】
【従来の技術】
ドロワは、ＰＯＳ（Ｐｏｉｎｔ　Ｏｆ　Ｓａｌｅｓ）端末等の商品販売データ処理装置等に備えられ、売上処理に際して出し入れされる貨幣や商品券のようなメディアの収納管理を行うものである。
【０００３】
商品販売データ処理装置等に備えられている従来のドロワは、図４ないし図６に示すような構造を有している（例えば、特許文献１参照）。図４は、ＰＯＳ端末に備えられているドロワの構成を示す斜視図、図５はドロワの内部に収納される各部材の構成について示す分解斜視図、図６はドロワを構成する各部材の配置を示す縦断側面図である。
【０００４】
ドロワ１は、キャビネット２にキャッシュボックス３が引き出し自在に収納されて構成されている。また、ドロワ１の上部には、ＰＯＳ端末４が載置されている。
【０００５】
キャビネット２は、薄型偏平の筐体であり前面に開口部２ａを有している。また、キャビネット２の開口部２ａの周辺を形成する折り曲げ部材２ｂは、強度を確保するため、図６に示すようにキャビネット２の内部へ直角に折り曲げ成型されており、側断面がコの字型に形成されている。
【０００６】
キャッシュボックス３は、キャビネット２の開口部２ａに引き出し自在に設けられている。キャッシュボックス３の前面部５には、例えば商品券等のような各種メディアを挿入できるメディアスロット６が設けられている。また、キャッシュボックス３には、マネーケース７及びコインケース８が収納されており、これらはそれぞれ別部材として着脱自在に形成されている。
【０００７】
マネーケース７には、キャッシュボックス３の前面部５から見て奥側に紙幣の収納が可能な紙幣収納部９が３箇所形成されている。各紙幣収納部９には、その上方に位置する板状部材１０に固定され、上下方向に回動自在な構造を有する札押さえ１１が設けられている。また、前面部５から見て手前側にはコインケース８を収納できる収納スペース１２が形成されている。この収納スペース１２には、コインケース８を収納するだけでなく、例えば高額紙幣等をコインケース８の下方に収納することが可能である。
【０００８】
コインケース８は、６箇所に区分けされており、例えば金額毎に硬貨を分別できるように形成されている。コインケース８は、マネーケース７に対して着脱自在な構造を有しており、通常は収納スペース１２に収納されている。
【０００９】
このような構成を有するドロワ１は、通常はキャッシュボックス３がキャビネット２の内部に収納されており、図示しないロック機構で収納状態が維持されている。ＰＯＳ端末４による商品登録処理時において、入金処理を行う場合にはＰＯＳ端末４の制御によってロックが解除され、キャッシュボックス３がキャビネット２の外部へ引き出される。そして、精算時に顧客が支払った貨幣や釣銭の出し入れが行われる。
【００１０】
【特許文献１】
特開２００１−４３４４７公報（第３−４頁、第１図、第２図）
【００１１】
【発明が解決しようとする課題】
マネーケース７の収納スペース１２に多量の紙幣等が収納され、その上にコインケース８が載置されている場合には、積層する紙幣等の厚さ等によって、コインケース８は上方に浮き上がるおそれがある。また、キャッシュボックス３の前面に形成されているメディアスロット６に多量のメディア等を挿入した場合にも、積層するメディア等の厚さ等によってマネーケース７が上方に浮き上がるおそれがある。この状態でキャッシュボックス３を図６に示す矢印の方向へ引き出そうとすると、コインケース８若しくはマネーケース７とキャビネット２の折り曲げ部材２ｂとが当接し、キャッシュボックス３を引き出す際の障害になるという問題がある。
【００１２】
本発明は、コインケース又はマネーケースが浮き上がった状態であっても、スムーズにキャッシュボックスが引き出せるドロワを提供することである。
【００１３】
【課題を解決するための手段】
本発明は、前面に開口部を有するキャビネットと、前記開口部から前記キャビネットに引出自在に収納され、紙幣を収納するマネーケース及び硬貨を収納するコインケースを上面開口部より着脱自在に収容するキャッシュボックスと、前記開口部の上側端面から前記キャビネットの内部天井面に向けて傾斜し、前記キャッシュボックスを引き出す動作に伴い、浮き上がった前記マネーケース又は前記コインケースの前端上部を干渉させてそれらの前記マネーケース又は前記コインケースを下方に抑制するガイドとを具備する。
【００１４】
したがって、マネーケース若しくはコインケースが上方に浮き上がった状態でキャビネット内に収納されている場合であっても、スムーズにキャッシュボックスを引き出すことが可能になる。
【００１５】
【発明の実施の形態】
本発明の一実施の形態を図１ないし図３に基づいて説明する。図１は、本実施の形態であるドロワの外観を示す斜視図、図２は、本実施の形態であるドロワの内部構造を示す縦断側面図である。なお、図４ないし図６で示した部分と同一部分は同一符号を用いて示し、説明も省略する。
【００１６】
ドロワ１は、従来技術と同様に前面に開口部２ａを有するキャビネット２とキャッシュボックス３とから構成されており、キャッシュボックス３はキャビネット２に対して引出自在に収納されている。
【００１７】
ドロワ１のキャビネット２であって開口部２ａの上側端面では、コインケース８やマネーケース７の浮き上がりを下方へ抑制するガイド１３が天井面１４に向かって傾斜して形成されている。つまり、ガイド１３と天井面１４とキャビネット２において開口部２ａが設けられている端面１５とは、図１に示すキャビネット２の先端部において、側面からの断面を見ると三角形を成すように形成されている。この三角形の斜辺に相当するガイド１３は、キャッシュボックス３を引き出す際、コインケース８やマネーケース７（以下、コインケース８等という）をガイドするほかに、開口部２ａの周辺の強度を補強する補強部材としても機能している。
【００１８】
キャッシュボックス３には、前面部に商品券等の挿入が可能なメディアスロット６が設けられており、キャッシュボックス３をキャビネット２から引き出さずに各種メディアの収納が可能である。また、キャッシュボックス３の内部には、着脱自在に形成されているマネーケース７が収納されており、またマネーケース７に設けられている収納スペース１２には、着脱自在に形成されたコインケース８が収納されている。マネーケース７に設けられている収納スペース１２は、コインケース８の下方に高額紙幣等を収納することも可能である。
【００１９】
このような構成において、マネーケース７の収納スペース１２に多量の紙幣等が収納され、コインケース８が上方に浮き上がって収納されているキャッシュボックス３をキャビネット２から引き出す場合におけるガイド１３の機能について説明する。
【００２０】
キャビネット２の中に収納されているコインケース８は、その下方に収納されている紙幣等によって上方に浮き上がっているので、その上端は開口部２ａの上側端面より上方に位置づけられている。ここで、例えば入金処理を行う際などにおいてＰＯＳ端末４の制御により図示しないロック機構が解除されると、キャッシュボックス３がキャビネット２の中から引き出される。このとき、キャッシュボックス３の移動に伴ってコインケース８も同様に移動し、その上部に形成されている突出部１６とガイド１３とが当接する。突出部１６とガイド１３とが当接した後も、キャッシュボックス３はキャビネット２の外部へ引き出される方向へ移動を続け、その間、コインケース８は、ガイド１３と当接し続け、そしてガイド１３によって下方へ抑制されながらキャビネット２の外へ引き出される方向に移動する。キャッシュボックス３及びコインケース８はこのように移動を続け、開口部２ａを経てキャビネット２の外部に引き出される。
【００２１】
次いで、開口部２ａから天井面１４に傾斜するように形成されているガイド１３によって、上方に浮き上がったコインケース８若しくはマネーケース７が下方に抑制される理由について説明する。
【００２２】
コインケース８やマネーケース７が浮き上がるのは、その下方に収納されている紙幣等の厚みと紙幣等の折れ等によって隙間が生じるためである。したがって、コインケース８等に下向きの力を加えると、コインケース８等を紙幣等の間に生じる隙間の分だけ下方向に移動させることが可能である。
【００２３】
また、コインケース８はマネーケース７の収納スペース１２に収納されており、マネーケース７はキャッシュボックス３に収納されているので、キャッシュボックス３が引き出される進行方向に対して前後左右方向には、ほとんどガタツキがないと考えることができる。したがって、コインケース８及びマネーケース７がガイド１３に接触した場合を考えると、コインケース８等は引出方向に対する前後左右方向のガタツキがほとんどないので、これらは上下方向にのみ移動可能と考えることができる。
【００２４】
ここで、キャッシュボックス３が引き出されてコインケース８等とガイド１３とが接触した場合、これらの間には摩擦による抵抗力が生じる。通常、キャッシュボックス３が引き出される際にキャッシュボックス３を移動させるために加えられる力は、コインケース８等がガイド１３と当接する際に受ける摩擦による抵抗力よりも大きいので、コインケース８等はガイド１３から抵抗を受けながら、キャッシュボックス３の進行方向へ移動する。この時、前述のようにコインケース８等は垂直方向にのみ移動できるように配設されており、またガイド１３は斜め方向に設けられている。したがって、ガイド１３とコインケース８等とが当接する際に、ガイド１３は、コインケース８等がガイド１３に与える力の一部を垂直方向成分に変換することが可能になる。その垂直方向成分の力により、コインケース８等の下方への抑制が実現する。この結果、紙幣等の間に生じている隙間をなくし、コインケース８等を下方へ抑制することができ、キャッシュボックス３が引き出される場合において、コインケース８等に浮き上がりが生じていても、それらの上下方向の位置をガイドに沿わせながらスムーズにキャッシュボックス３を引き出すことが可能になる。
【００２５】
なお、本実施の形態では、コインケース８が浮き上がった場合におけるガイド１３の機能について説明したが、ガイド１３の機能はマネーケース７が浮き上がった場合においても同様の効果を有するものである。
【００２６】
本実施の形態では、折り曲げ成型によりガイド１３を形成しているが、開口部２ａの上側端面との間に段差が生じないように連続させて形成可能であれば、ガイドを別部材によって形成してもよい。
【００２７】
また、本実施の形態では、開口部２ａの全幅に対してガイド１３を形成したが、開口部２ａの幅内で部分的に配設、例えば図３に示すようにキャビネット２の内部の両側方部にガイド１３を配設してもよい。さらに、開口部２ａの上側端面との間に段差が生じないように連続させて形成可能であれば、ガイドを別部材によって形成してもよい。
【００２８】
【発明の効果】
本発明によれば、マネーケースに形成されているコインケース収納部やメディアスロットに多量の紙幣等を収納した場合であっても、コインケース若しくはマネーケースとキャビネットとがぶつかって止まることがなく、スムーズにキャッシュボックスを引き出すことが可能になる。
【図面の簡単な説明】
【図１】本発明の一実施の形態のドロワの外観を示す斜視図である。
【図２】そのドロワの内部構造を示す縦断側面図である。
【図３】その変形例であるドロワの外観を示す斜視図である。
【図４】従来技術の一例であるＰＯＳ端末に備えられたドロワの外観構造を示す斜視図である。
【図５】そのキャッシュボックス内部の構成を示す分解斜視図である。
【図６】そのドロワの内部構成を示す縦断側面図である。
【符号の説明】
１…ドロワ、２…キャビネット、２ａ…開口部、３…キャッシュボックス、７…マネーケース、８…コインケース、１３…ガイド
【図１】
2004110279.tif 000003
【図２】
2004110279.tif 000004
【図３】
2004110279.tif 000005
【図４】
2004110279.tif 000006
【図５】
2004110279.tif 000007
【図６】
2004110279.tif 000008